(57)【要約】【課題】本発明は、ベースの外観を良好に維持しつつ、複数種の転倒防止具を自由に選択して使用することができ、使い易いスタンドを得ることにある。【解決手段】スタンド(3)は、据付面(6a)と向かい合う下面(10)を有するベース(7)と、ベース(7)の下面(10)に取り外し可能に支持される固定具(20)とを備えている。固定具(20)は、ベース(7)の外に突出する突出部(22)を有している。固定具(20)の突出部(22)に第１の転倒防止具(29)を通す第１の係合部(27)と、第２の転倒防止具(30)を通す第２の係合部(28)とが一体に形成されている。【選択図】      図７
2007322512.tif 000002
【特許請求の範囲】
【請求項１】
機器を支持して据付面の上に置かれるとともに、上記据付面と向かい合う下面を有するベースと、
上記ベースの下面に取り外し可能に支持される固定具と、を含み、
上記固定具は、上記ベースの外に突出する突出部を有し、この突出部に第１の転倒防止具を通す第１の係合部と、第２の転倒防止具を通す第２の係合部とを一体に形成したことを特徴とするスタンド。
【請求項２】
請求項１の記載において、上記第１の転倒防止具は、上記据付面に固定されるねじであり、上記第１の係合部は、上記ねじが貫通する通孔であることを特徴とするスタンド。
【請求項３】
請求項１又は請求項２の記載において、上記第２の転倒防止具は、上記固定具と上記据付面に対し起立する壁との間に跨るワイヤであり、上記第２の係合部は、上記ワイヤが貫通する筒部であることを特徴とするスタンド。
【請求項４】
請求項３の記載において、上記筒部は、上記突出部の縁を巻き込むように加工することで上記固定具に一体に形成されていることを特徴とするスタンド。
【請求項５】
請求項１の記載において、上記ベースの下面は、上記据付面から遠ざかる方向に凹む凹部を有し、上記固定具は、上記凹部の底にねじを介して固定される固定部と、この固定部と上記突出部との間に介在されたクランク状に折れ曲がる中間部とを有し、上記中間部は、上記固定部と上記突出部との間に上記凹部の深さ方向に沿う段差を形成するとともに、この段差の範囲内に上記ねじの頭部が位置することを特徴とするスタンド。
【請求項６】
請求項５の記載において、上記ベースは、その下面から下向きに突出して上記据付面に接する複数の脚をさらに備えていることを特徴とするスタンド。
【請求項７】
機器を支持して据付面の上に置かれるとともに、上記据付面と向かい合う下面を有するベースと、
上記ベースの下面に支持される固定具と、を含み、
上記固定具は、上記ベースの下面に支持される第１のループ部と、上記ベースの外に突出する第２のループ部と、上記第１のループ部と第２のループ部との間を連結する連結部とを一体に備え、上記第２のループ部は、複数種の転倒防止具のうちの一つが選択的に挿通可能な形状を有することを特徴とするスタンド。
【請求項８】
請求項７の記載において、上記転倒防止具は、上記据付面に固定されるねじ又は上記固定具と上記据付面に対し起立する壁との間に跨るワイヤであることを特徴とするスタンド。
【請求項９】
請求項７の記載において、上記固定具は、複数の金属素線をより合わせた可撓性の綱材からなり、上記綱材の一端に上記第１のループ部が一体に形成されているとともに、上記綱材の他端に上記第２のループ部が一体に形成されていることを特徴とするスタンド。
【請求項１０】
請求項７ないし請求項９のいずれかの記載において、上記固定具は、上記第１のループ部を支点として上記第２のループ部が上記ベースの下面と向かい合う格納位置と、上記第２のループ部が上記ベースの外に突出する使用位置との間で回動可能であることを特徴とするスタンド。
【請求項１１】
ディスプレイ本体と、
上記ディスプレイ本体を据付面の上に支持するスタンドと、を具備するディスプレイ装置であって、
上記スタンドは、
上記据付面の上に置かれるとともに、上記据付面と向かい合う下面を有するベースと、
上記ベースの下面に取り外し可能に支持されるとともに、上記ベースの外に突出する突出部を有する固定具と、を含み、
上記固定具の突出部に、第１の転倒防止具を通す第１の係合部と、第２の転倒防止具を通す第２の係合部とを一体に形成したことを特徴とするディスプレイ装置。
【請求項１２】
ディスプレイ本体と、
上記ディスプレイ本体を据付面の上に支持するスタンドと、を具備するディスプレイ装置であって、
上記スタンドは、
上記据付面の上に置かれるとともに、上記据付面と向かい合う下面を有するベースと、
上記ベースの下面に支持される固定具と、を含み、
上記固定具は、上記ベースの下面に支持される第１のループ部と、上記ベースの外に突出する第２のループ部と、上記第１のループ部と第２のループ部との間を連結する連結部とを一体に備え、上記第２のループ部は、複数種の転倒防止具のうちの一つが選択的に挿通可能な形状を有することを特徴とするディスプレイ装置。
【発明の詳細な説明】
【技術分野】
【０００１】
本発明は、例えば薄型テレビを据付面の上に支持するスタンドに係り、特に薄型テレビの転倒を防止するための構造に関する。さらに本発明は、転倒防止機能を装備したスタンドを有するディスプレイ装置に関する。
【背景技術】
【０００２】
例えば薄型テレビは、液晶ディスプレイあるいはプラズマディスプレイのようなディスプレイ装置を据付面の上に支持するスタンドを装備している。スタンドは、据付面の上に置かれる偏平なベースと、このベースの上面から上向きに突出する支柱とを有し、この支柱の上端にディスプレイ装置が取り外し可能に支持されている。
【０００３】
ところで、従来の薄型テレビ用のスタンドは、例えば地震による液晶テレビの転倒を防止するためのフックおよびクリップを装備している。フックおよびクリップは、ベースの後端からスタンドの背後に向けて突出している。
【０００４】
フックは、スタンドを据付面の上にねじで固定する際に使用するものであり、ねじを通す通孔を有している。クリップは、据付面の上に置かれたスタンドを起立する壁に固定する際に使用するものであり、壁との間に架け渡される強靭なワイヤを通すループ部を有している。
【０００５】
そのため、ユーザは、薄型テレビを据付面に設置する際に、フックあるいはクリップのいずれかを選択することで、薄型テレビのスタンドを据付面の上に固定することができる（例えば、特許文献１参照）
【特許文献１】特開２０００−４７５９９号公報
【発明の開示】
【発明が解決しようとする課題】
【０００６】
従来のスタンドによると、ねじを通すフックおよびワイヤを通すクリップが個々にベースに取り付けられている。このような構成によると、ベースの後端からフックおよびクリップが突出するのを避けられず、ベースの後端が煩雑となってスタンドの外観に悪影響を及ぼす虞があり得る。
【０００７】
さらに、未使用のフック又はクリップをベースから取り外してしまうと、据付面に対する薄型テレビの固定の仕方を、例えばねじ固定からワイヤ固定に変更する場合に、ねじ用のフックでは対応することができなくなる。
【０００８】
この結果、クリップを再度ベースに取り付ける作業が必要となり、薄型テレビの固定の仕方を変更する際に手間を要するといった不具合がある。
【０００９】
本発明の目的は、ベースの外観を良好に維持しつつ、複数種の転倒防止具を自由に選択して使用することができ、使い易いスタンドを得ることにある。
【００１０】
本発明の他の目的は、外観が良好で、しかも複数種の転倒防止具を自由に使い分けることができるスタンドを備えたディスプレイ装置を得ることにある。
【課題を解決するための手段】
【００１１】
上記目的を達成するため、本発明の一つの形態に係るスタンドは、  
機器を支持して据付面の上に置かれるとともに、上記据付面と向かい合う下面を有するベースと、  
上記ベースの下面に取り外し可能に支持される固定具と、を備えている。  
上記固定具は、上記ベースの外に突出する突出部を有し、この突出部に第１の転倒防止具を通す第１の係合部と、第２の転倒防止具を通す第２の係合部とを一体に形成したことを特徴としている。
【００１２】
上記目的を達成するため、本発明の一つの形態に係るディスプレイ装置は、  
ディスプレイ本体と、  
上記ディスプレイ本体を据付面の上に支持するスタンドと、を備えている。  
上記スタンドは、上記据付面の上に置かれるとともに、上記据付面と向かい合う下面を有するベースと、上記ベースの下面に取り外し可能に支持されるとともに、上記ベースの外に突出する突出部を有する固定具とを含み、上記固定具の突出部に、第１の転倒防止具を通す第１の係合部と、第２の転倒防止具を通す第２の係合部とを一体に形成したことを特徴としている。
【発明の効果】
【００１３】
本発明によれば、一つの固定具で複数種の転倒防止具を自由に使い分けることができる。このため、固定具の数が無闇に増えることはなく、スタンドの外観が良好となる。
【００１４】
それとともに、転倒防止具を用いて据付面にスタンドを固定する際に、固定具を交換したり、転倒防止具に対応する固定具を選択する必要はない。よって、据付面に対するスタンドの固定作業を容易に行なうことができる。
【発明を実施するための最良の形態】
【００１５】
以下本発明の第１の実施の形態を、液晶テレビに適用した図１ないし図９に基づいて説明する。
【００１６】
図１は、ディスプレイ装置の一例である薄型の液晶テレビ１を開示している。液晶テレビ１は、機器としてのディスプレイ本体２とスタンド３とを備えている。
【００１７】
ディスプレイ本体２は、偏平な筐体４と、この筐体４に収容された液晶表示パネル５とを含んでいる。液晶表示パネル５は表示画面５ａを有し、この表示画面５ａは、筐体４の前面に露出している。
【００１８】
スタンド３は、例えばテレビ台６の据付面６ａの上にディスプレイ本体２を支持するためのものである。スタンド３は、据付面６ａの上に置かれる偏平なベース７を備えている。図４および図７に示すように、ベース７は、金属製の四角い底板８と、合成樹脂製のトップカバー９とを有している。底板８は、ベース７を据付面６ａの上に置いた時に、この据付面６ａと向かい合う下面１０を有している。下面１０の外周部に複数のゴム脚１１が取り付けられている。ゴム脚１１は、底面１０の四隅から下向きに突出して、据付面６ａに突き当たるようになっている。
【００１９】
このため、図７に示すように、据付面６ａの上にベース７を置いた時、据付面６ａとベース７の底面１０との間にゴム脚１１の高さに相当する隙間gが形成される。
【００２０】
底板８の下面１０は、その外周部で囲まれる中央部分に凹部１３を有している。凹部１３は、据付面６ａから遠ざかるようにベース７の厚み方向に窪んでいる。凹部１３は、一対の延長部１４ａ，１４ｂを有している。延長部１４ａ，１４ｂは、ベース７の幅方向に互いに離れているとともに、凹部１３の後端からベース７の後端に向けて延びている。
【００２１】
凹部１３および延長部１４ａ，１４ｂは、底面１５を有している。底面１５は、据付面６ａと向かい合っている。底面１５のうち延長部１４ａ，１４ｂに対応する部分に、夫々一対のねじ孔１６が形成されている。ねじ孔１６は、ベース７の奥行き方向に沿って並んでいる。
【００２２】
トップカバー９は、底板８にねじ止めされて、底板８を上方から覆っている。トップカバー９の上面の中央部に上向きに突出する支柱１７が形成されている。支柱１７は、ディスプレイ本体２を支えている。
【００２３】
図２ないし図４に示すように、スタンド３のベース７は、液晶テレビ１の転倒を防止する一対の固定具２０を装備している。固定具２０は、互いに共通の構成を有するため、一方を代表して説明する。
【００２４】
図５ないし図８に示すように、第１の実施の形態の固定具２０は、例えば板金プレス加工された帯状の金属板で構成されている。固定具２０は、固定部２１、突出部２２および中間部２３を一体に有している。
【００２５】
固定部２１は、固定具２０の長さ方向に沿う一端に位置している。固定部２１は、ベース７の凹部１３の延長部１４ａ，１４ｂに入り込む平坦な板状をなすとともに、延長部１４ａ，１４ｂの底面１５に重なり合っている。
【００２６】
固定部２１は、一対のねじ挿通孔２４を有している。ねじ挿通孔２４は、底面１５に開けたねじ孔１６と合致している。固定部２１のねじ挿通孔２４に、夫々底板８の下方から固定ねじ２５が挿入されている。固定ねじ２５の挿入端は、ねじ孔１６にねじ込まれている。このねじ込みにより、固定具２０の一端がベース７の底板８に固定されている。
【００２７】
固定ねじ２５は、頭部２６を有している。頭部２６は、凹部１３の延長部１４ａ，１４ｂ内に位置するとともに、固定部２１の下面から下向きに突出している。
【００２８】
突出部２２は、固定具２０の長さ方向に沿う他端に位置している。突出部２２は、ベース７の後端から後方に突出する平坦な板状をなすとともに、ベース７を据付面６ａの上に置いた時にこの据付面６ａと向かい合うようになっている。
【００２９】
突出部２２は、通孔２７および筒部２８を有している。通孔２７は、第１の係合部の一例であり、この通孔２７に第１の転倒防止具としての固定ねじ２９が挿通される。筒部２８は、第２の係合部の一例であり、突出部２２の先端縁を巻き込むように円筒状に加工することで、突出部２２の先端に一体に成形されている。この筒部２８には、第２の転倒防止具としての強靭なワイヤ３０が挿通される。これら通孔２７および筒部２８は、固定具２０の長手方向に互いに間隔を存して並んでいる。
【００３０】
中間部２３は、固定部２１と突出部２２との間に介在されて、これら固定部２１と突出部２２とを互いに結合している。中間部２３は、ベース７の高さ方向にクランク状に折れ曲がっている。これにより、固定部２１と突出部２２との間にベース７の高さ方向に沿う段差３２が形成されている。
【００３１】
段差３２は、凹部１３の深さを上回っている。この結果、固定具２０の突出部２２は、凹部１３の底面１５よりもベース７の下方に位置するとともに、ベース７を据付面６ａの上に置いた時に、このベース７の下端と据付面６ａとの間を通してベース７の後方に引き出されている。
【００３２】
さらに、第１の実施の形態によると、固定具２０を底板８に固定する固定ねじ２９の頭部２６は、上記段差３２の範囲内に位置している。この結果、頭部２６が固定具２０の突出部２２よりも下方に張り出すことはなく、頭部２６と据付面６ａとの間に充分なクリアランスを確保することができる。
【００３３】
言い換えると、頭部２６と据付面６ａとの干渉を回避できるので、ゴム脚１１の肉厚を薄くすることができる。そのため、ベース７の高さ寸法を抑えることができ、スタンド３を据付面６ａの上に置いた時の液晶テレビ１の安定性が向上する。
【００３４】
図７は、第１の転倒防止具として機能する固定ねじ２９を用いて液晶テレビ１の転倒を防止する形態を開示している。
【００３５】
固定ねじ２９は、固定具２０の突出部２２の上方から通孔２７に挿通される。固定ねじ２９は、テレビ台６の据付面６ａに開口する固定孔３３を上から下に貫通するとともに、その貫通端にナット３４がねじ込まれている。このねじ込みにより、ベース７の固定具２０が固定ねじ２９を介してテレビ台６に固定され、据付面６に対する液晶テレビ１の転倒が防止される。
【００３６】
なお、固定ねじ２９は、テレビ台６を貫通させてナット３４で固定するものに限らず、例えばテレビ台６に雌ねじを有するねじ穴を設け、このねじ穴に固定ねじ２０を直にねじ込むことで固定するようにしてもよい。
【００３７】
図８および図９は、第２の転倒防止具として機能する強靭なワイヤ３０を用いて液晶テレビ１の転倒を防止する形態を開示している。
【００３８】
例えば液晶テレビ１が据付面６ａに対して起立する壁３４に沿うように設置されている場合、ワイヤ３０は、壁３４に固定したフック３５と固定具２０の筒部２８との間に跨るように平面視略三角形状に架け渡すことが望ましい。これにより、スタンド３がワイヤ３０を介して壁３４に繋ぎ止められ、据付面６に対する液晶テレビ１の転倒が防止される。
【００３９】
このような本発明の第１の実施の形態によれば、一つの固定具２０に固定ねじ２９を通す通孔２７とワイヤ３０を通す筒部２８とが一体に形成されている。このため、据付面６ａの上に置かれた液晶テレビ１の転倒を防止する際に、固定ねじ２９又はワイヤ３０のいずれか一つを自由に選択して共通の固定具２０に通すことができる。
【００４０】
言い換えると、一つの固定具２０で固定ねじ２９又はワイヤ３０のいずれにも対応が可能となり、固定ねじ２９又はワイヤ３０を液晶テレビ１の設置環境に応じて自由に使い分けることができる。
【００４１】
よって、固定具２０の数が無闇に増えることはなく、スタンド３のベース７回りの外観が良好となる。
【００４２】
それとともに、固定ねじ２９によるスタンド３の固定をワイヤ３０に変更する場合、逆にワイヤ３０によるスタンド３の固定を固定ねじ２９に変更する場合でも、固定具２０を交換する必要はない。
【００４３】
このことから、据付面６ａに対するスタンド３の固定作業を容易に行なうことができ、液晶テレビ１の据え付けに手間を要しないといった利点がある。
【００４４】
本発明は上記第１の実施の形態に特定されるものではなく、発明の主旨を逸脱しない範囲内で種々変更して実施可能である。
【００４５】
図１０は、本発明の第２の実施の形態に係る固定具４０を開示している。
【００４６】
この固定具４０は、主に第２の係合部としての筒部４１に関する事項が上記第１の実施の形態と相違しており、これ以外の固定具４０の構成は上記第１の実施の形態と同様である。
【００４７】
図１０に示すように、筒部４１は、突出部２２の中央部分に一体に形成されている。すなわち、筒部４１は、突出部２２の中央部分に舌片４２を切り起こすとともに、舌片４２の先端縁を巻き込むように舌片４２を円筒状に加工することで成形される。この結果、突出部２２の中央部分に舌片４２を切り起こした跡となる開口部４３が形成されている。
【００４８】
さらに、固定具４０の突出部２２に第１の係合部としての一対の通孔４４ａ，４４ｂが形成されている。通孔４４ａ，４４ｂは、突出部２２の長手方向に離れている。筒部４１および開口部４３は、通孔４４ａ，４４ｂの間に位置している。
【００４９】
このような構成においても、一つの固定具４０で固定ねじ又はワイヤのいずれの転倒防止具にも対応が可能となり、複数種の転倒防止具を液晶テレビの設置環境に応じて自由に使い分けることができる。
【００５０】
図１１は、本発明の第３の実施の形態に係る固定具５０を開示している。
【００５１】
この固定具５０は、主に第２の係合部に関する事項が上記第１の実施の形態と相違しており、これ以外の固定具５０の構成は、上記第１の実施の形態と同様である。
【００５２】
図１１に示すように、第２の係合部は、突出部２２と中間部２３との間に跨るように打ち抜かれたブリッジ部５１によって形成されている。ブリッシ部５１は、水平部５１ａと起立部５１ｂとを有している。水平部５１ａは、固定部２１と同一面上に位置するとともに、固定部２１の後端から突出部２２に向けて延びている。起立部５１ｂは、水平部５１ａの先端と突出部２２の中間との間に跨るように起立している。
【００５３】
このため、突出部２２および中間部２３には、ブリッジ部２１を打ち抜いた跡となる開口部５２が形成されているとともに、この開口部５２とブリッジ部５１との間にワイヤ挿通用の空間５３が形成されている。
【００５４】
このような構成においても、一つの固定具５０で固定ねじ又はワイヤのいずれの転倒防止具にも対応が可能となり、複数種の転倒防止具を液晶テレビの設置環境に応じて自由に使い分けることができる。
【００５５】
図１２ないし図１７は、本発明の第４の実施の形態を開示している。この第４の実施の形態は、主に固定具６０に関する事項が上記第１の実施の形態と相違している。それ以外のスタンド３の構成は第１の実施の形態と同一である。そのため、第４の実施の形態において、上記第１の実施の形態と同一の構成部分は同一の参照符号を付して、その説明を省略する。
【００５６】
図１２に示すように、固定具６０は、例えば複数の金属素線を撚り合わせたストランド６１によって一体に形成されている。ストランド６１は綱の一種であり、可撓性を有している。
【００５７】
固定具６０は、第１のループ部６２、第２のループ部６３および連結部６４を備えている。第１のループ部６２は、固定具６０の一端に位置している。第１のループ部６２は、ストランド６１の一端側を輪を描くように湾曲させるとともに、その一端をストランド６１に対しかしめ具６５を介して束ねることにより形成されている。
【００５８】
第２のループ部６３は、固定具６０の他端に位置している。第２のループ部６３は、ストランド６１の他端側を輪を描くように湾曲させるとともに、その他端をストランド６１にかしめ具６６を介して束ねることにより形成されている。
【００５９】
連結部６４は、第１のループ部６２と第２のループ部６３との間に介在されて、これらループ部６２，６３の間を直線状に連結している。
【００６０】
図１４ないし図１６に示すように、固定具６０の第１のループ部６２は、凹部１３の延長部１４ａ，１４ｂに位置するとともに、延長部１４ａ，１４ｂの底面１５に固定ねじ６７を介して取り付けられている。
【００６１】
固定ねじ６７は、第１のループ部６２を貫通して底面１５に開けたねじ孔１６にねじ込まれている。このねじ込みにより、固定ねじ６７の頭部６８が第１のループ部６２に引っ掛かり、この第１のループ部６２を底面１５との間で挟持している。
【００６２】
この結果、固定具６０は、固定ねじ６７を支点として格納位置と使用位置との間で回動可能となっている。図１５は、固定具６０が格納位置に回動された状態を示している。格納位置では、連結部６４が第１のループ部６２からベース７の前方に向って延びているとともに、第２のループ部６３が第１のループ部６２の前方に位置している。そのため、格納位置では、固定具６０は底板８の凹部１３内に入り込んで、ベース７によリ覆い隠されている。
【００６３】
図１４は、固定具６０が使用位置に回動された状態を開示している。使用位置とは、固定具６０を第１のループ部６２を支点にベース７の後方に向けて１８０°反転させた位置のことを指している。この使用位置では、連結部６４が第１のループ部６２からベース７の後方に向って延びているとともに、第２のループ部６３が第１のループ部６２の後方に位置している。そのため、使用位置では、固定具６０のうち連結部６４の後半部から第２のループ部６３に至る範囲がベース７の後方に向けて突出している。
【００６４】
固定具６０の第２のループ部６３は、固定ねじ７０又は強靭なワイヤ７１を通すためのものである。固定ねじ７０およびワイヤ７１は、夫々液晶テレビの転倒を防止する転倒防止具の一例であり、いずれか一方を選択して使用することができる。
【００６５】
図１６は、固定ねじ７０を用いて液晶テレビ１の転倒を防止する形態を開示している。図１６によると、固定具６０は、使用位置に回動された状態にあり、第２のループ部６３がテレビ台６の据付面６ａの上に置かれている。
【００６６】
固定ねじ７０は、テレビ台６の上方から第２のループ部６３に挿入される。この固定ねじ７０は、テレビ台６の固定孔３３を上から下に貫通するとともに、その貫通端にナット７２がねじ込まれている。このねじ込みにより、ベース７の固定具６０が固定ねじ７０を介してテレビ台６に固定され、据付面６ａに対する液晶テレビの転倒が防止される。
【００６７】
なお、固定ねじ７０は、テレビ台６を貫通させてナット７２で固定するものに限らず、例えばテレビ台６に雌ねじを有するねじ穴を設け、このねじ穴に固定ねじ７０を直にねじ込むことで固定するようにしてもよい。
【００６８】
図１７は、ワイヤ７１を用いて液晶テレビ１の転倒を防止する形態を開示している。ワイヤ７１は、第２のループ部６３を据付面６ａから遠ざかる方向に変形させることで、第２のループ部６３に通すことができる。第２のループ部６３に通されたワイヤ７１は、起立する壁（図示せず）との間に閉ループ状に架け渡される。これにより、スタンド３がワイヤ７１を介して壁に繋ぎ止められ、据付面６ａに対する液晶テレビの転倒が防止される。
【００６９】
このような第４の実施の形態によると、固定具６０の第２のループ部６３に、固定ねじ７０又はワイヤ７１のいずれかを自由に選択して通すことができる。
【００７０】
したがって、一つの固定具６０で固定ねじ７０又はワイヤ７１のいずれにも対応が可能となり、上記第１の実施の形態と同様に、固定ねじ７０又はワイヤ７１を液晶テレビ１の設置環境に応じて使い分けることができる。
【００７１】
さらに、第４の実施の形態によると、固定具６０を使用位置から格納位置に向けて１８０°反転させると、固定具６０の連結部６４および第２のループ部６３がベース７の凹部１３に入り込み、このベース７によって覆い隠される。
【００７２】
このため、固定具６０を必要としない時に、固定具６０を使用位置から格納位置に回動させれば、固定具６０がベース７の後方に突出したままとならずに済む。よって、スタンド３の外観を良好に維持することができる。
【００７３】
なお、本発明に係るスタンドは、テレビ台のような卓上に設置するものに限らず、例えば室内のフロア上に設置する、いわゆるフロアスタンドでもよい。それとともに、スタンドによって支えられる機器は、表示画面を有するディスプレイ本体に限らず、例えば扇風機あるいは赤外線ヒータであっても同様に実施可能である。
【図面の簡単な説明】
【００７４】
【図１】本発明の第１の実施の形態に係る液晶テレビの斜視図。
【図２】本発明の第１の実施の形態に係る液晶テレビを背後から見た斜視図。
【図３】本発明の第１の実施の形態に係る固定具の斜視図。
【図４】本発明の第１の実施の形態において、ベースの下面に固定具をねじで固定した状態を示すスタンドの底面図。
【図５】本発明の第１の実施の形態において、固定具、固定ねじおよびワイヤとの位置関係を示す斜視図。
【図６】本発明の第１の実施の形態において、据付面の上にベースを置いた時のベースと固定具との位置関係を示す側面図。
【図７】本発明の第１の実施の形態において、ベースの固定具を据付面に対し固定ねじを介して固定した状態を示す断面図。
【図８】本発明の第１の実施の形態において、ベースの固定具に強靭なワイヤを通した状態を示す断面図。
【図９】本発明の第１の実施の形態において、ベースの固定具とテレビ台に隣接する壁との間に強靭なワイヤを架け渡した状態を示す液晶テレビの平面図。
【図１０】本発明の第２の実施の形態に係る固定具の斜視図。
【図１１】本発明の第３の実施の形態に係る固定具の斜視図。
【図１２】本発明の第４の実施の形態に係る固定具の斜視図。
【図１３】本発明の第４の実施の形態において、固定具を使用位置に回動させた時の固定具とベースとの位置関係を示す斜視図。
【図１４】本発明の第４の実施の形態において、固定具を使用位置に回動させた状態を示すベースの底面図。
【図１５】本発明の第４の実施の形態において、固定具を格納位置に回動させた状態を示すベースの底面図。
【図１６】本発明の第４の実施の形態において、ベースの固定具を据付面に対し固定ねじを介して固定した状態を示す断面図。
【図１７】本発明の第４の実施の形態において、ベースの固定具に強靭なワイヤを通した状態を示す断面図。
【符号の説明】
【００７５】
２…ディスプレイ本体、３…スタンド、６ａ…据付面、７…ベース、１０…下面、２０，４０，５０，６０…固定具、２２…突出部、２７…第１の係合部（通孔）、２８…第２の係合部（筒部）、２９，７０…第１の転倒防止具（固定ねじ）、３０，７１…第２の転倒防止部（ワイヤ）、６２…第１のループ部、６３…第２のループ部、６４…連結部。
【図１】
2007322512.tif 000003
【図２】
2007322512.tif 000004
【図３】
2007322512.tif 000005
【図４】
2007322512.tif 000006
【図５】
2007322512.tif 000007
【図６】
2007322512.tif 000008
【図７】
2007322512.tif 000009
【図８】
2007322512.tif 000010
【図９】
2007322512.tif 000011
【図１０】
2007322512.tif 000012
【図１１】
2007322512.tif 000013
【図１２】
2007322512.tif 000014
【図１３】
2007322512.tif 000015
【図１４】
2007322512.tif 000016
【図１５】
2007322512.tif 000017
【図１６】
2007322512.tif 000018
【図１７】
2007322512.tif 000019